(57)【要約】 【課題】平面視矩形形状の洗面ボウルの洗浄を簡単で確実に実施できる洗浄構造を提供することを目的とする。 【解決手段】  洗面ボウル２３は後面２３ａと両側面２３ｂと前面２３ｃと底板２３ｄから成る平面視矩形形状で、後面２３ａは両側面２３ｂより高く形成される。後面２３ａの幅方向の中央部で側面２３ｂより上方に漏斗形状で別体のマニホールド２５が組込まれ、マニホールド２５の表面部２５ａに洗浄水Ｐを左右下方に吐出する一対の第一の吐出口２７と、洗浄水Ｐを水平と下方に向けて吐出する３組の第二の吐出口２８を備える。洗浄水Ｐは洗剤を含有する水が用いられる。導水段部Ｓは第一の吐出口２７から前面２３ｃに亘って連続的に下り勾配で傾斜して前面２３ｃの中央部で連通し、導水段部Ｓから洗浄水Ｐがボウル内面を覆うように溢れて流れ出すのでボウル内面を確実に洗浄できる。導水段部Ｓは幅Ｔ、高さＨの溝状に抉って形成される。【選択図】  図１
2009079354.tif 000002
【特許請求の範囲】
【請求項１】
洗面化粧台等に備える洗面ボウルの洗浄構造であって、
前記洗面ボウルの洗浄水は洗剤を含有する水が用いられ、前記洗面ボウルは後面と両側面と前面と底板から成る平面視矩形形状で前記後面は両側面より高く形成され、前記後面の幅方向の中央部で前記側面より上方に洗浄水の第一の吐出口が一対設けられ、前記洗浄水を流す導水段部がそれぞれの第一の吐出口から前記後面と両側面と前面に亘って各面を直角に抉って形成されることを特徴とする洗面ボウルの洗浄構造。
【請求項２】
請求項１に記載の洗面ボウルの洗浄構造であって、前記導水段部は前記一対の第一の吐出口からそれぞれ前記前面の中央部に亘って傾斜することを特徴とする洗面ボウルの洗浄構造。
【請求項３】
請求項１又は請求項２に記載の洗面ボウルの洗浄構造であって、前記一対の第一の吐出口の近傍に前記後面に沿って洗浄水を水平左右方向と下方向に吐出する複数の第二の吐出口を備えることを特徴とする洗面ボウルの洗浄構造。
【請求項４】
請求項１乃至請求項３のいずれか１項に記載の洗面ボウルの洗浄構造であって、前記前面は下端部が前記後面に向って傾斜して形成されることを特徴とする洗面ボウルの洗浄構造。
【発明の詳細な説明】
【技術分野】
【０００１】
本発明は、洗面化粧台等に備える洗面ボウルの洗浄構造に関し、詳しくは、洗面ボウルを容易で確実に洗浄できる洗浄構造に関する。
【背景技術】
【０００２】
従来、洗面化粧台等に備える洗面ボウルの洗浄構造については、特許文献１に記載の内容が知られている。
【０００３】
この特許文献１によれば、図５に示すように、洗面台の洗面ボウル１の外周縁部に水の通る空洞５を作り、空洞５に通じる穴６を洗面ボウル１の周縁部の内側から数十ケ所開ける。パイプ４に流れた水は空洞５を通って穴６から洗面ボウル１に流れ出る。そして、蛇口３に設けた切り替えレバー２によって、パイプ４と蛇口３の両方または片方から水を流すことができる。
【０００４】
洗面ボウル１の周縁部の穴から水が流れ出ることで、洗面ボウル１の内側についた石鹸垢や剃った後の髭などを容易に流す事ができる。
【特許文献１】特開平５−２６９０４８号公報
【発明の開示】
【発明が解決しようとする課題】
【０００５】
ところが、洗面ボウル１の外周縁部に水の通る空洞５を設ける必要があるので、洗面ボウル１の製作が複雑になりコスト高に繋がるという問題があった。
【０００６】
また、水だけでは洗面ボウル１の汚れが確実に洗浄できないので、洗面ボウル１に洗剤を掛けたりスポンジに洗剤をふくませて洗面ボウル１を擦って洗う等の必要があった。この場合、所定の場所にスポンジと洗剤が用意されていない場合には取りに行く手間が不便なため洗浄を省いてしまうことになり洗面ボウル１に汚れが蓄積し易いという問題があった。
【０００７】
そこで、本発明は上記問題を解決して、特に平面視矩形形状の洗面ボウルの洗浄を簡単で確実に実施できる洗面ボウルの洗浄構造を提供することを目的とする。
【課題を解決するための手段】
【０００８】
請求項１の発明は、洗面化粧台等に備える洗面ボウルの洗浄構造であって、前記洗面ボウルの洗浄水は洗剤を含有する水が用いられ、前記洗面ボウルは後面と両側面と前面と底板から成る平面視矩形形状で前記後面は両側面より高く形成され、前記後面の幅方向の中央部で前記側面より上方に洗浄水の第一の吐出口が一対設けられ、前記洗浄水を流す導水段部がそれぞれの第一の吐出口から前記後面と両側面と前面に亘って各面を直角に抉って形成されることを特徴としている。
【０００９】
請求項２の発明は、請求項１に記載の洗面ボウルの洗浄構造であって、前記導水段部は前記一対の第一の吐出口からそれぞれ前記前面の中央部に亘って傾斜することを特徴としている。
【００１０】
請求項３の発明は、請求項１又は請求項２に記載の洗面ボウルの洗浄構造であって、前記一対の第一の吐出口の近傍に前記後面に沿って洗浄水を水平左右方向と下方向に吐出する複数の第二の吐出口を備えることを特徴としている。
【００１１】
請求項４の発明は、請求項１乃至請求項３のいずれか１項に記載の洗面ボウルの洗浄構造であって、前記前面は下端部が前記後面に向って傾斜して形成されることを特徴としている。
【発明の効果】
【００１２】
請求項１の発明によれば、前記洗面ボウルの洗浄水は洗剤を含有する水が用いられるので、水による洗浄に比べて確実に洗浄効果が向上する。また、前記後面の一対の第一の吐出口からそれぞれの導水段部が前記後面と両側面と前面に亘って各面を直角に抉って形成されるので、一対の第一の吐出口から吐出した洗浄水は導水段部を介して後面から前面まで左右に旋回して流れるとともに、導水段部から洗浄水がボウル内面を覆うように溢れて流れ出すのでボウル内面全域を容易且つ確実に洗浄できる。さらに、導水段部は各面を直角に抉るだけの単純な構造なので洗面ボウルの製作が容易でありコストを低減することができる。
【００１３】
請求項２の発明によれば、前記導水段部は前記一対の第一の吐出口からそれぞれ前記前面の中央部に亘って傾斜するので、洗浄水は第一の吐出口から前面に亘って確実に旋回するので、請求項１の発明の効果と同様の効果をさらに確実に得ることができる。
【００１４】
請求項３の発明によれば、前記一対の第一の吐出口の近傍に複数の第二の吐出口を備えるので、前記第一の吐出口からの洗浄水ではカバーできない前記後面の水平左右方向と下方向の洗浄が補えるので、前記後面の略全域が確実に洗浄できる。
【００１５】
請求項４の発明によれば、前記第一の吐出口から最遠の前記前面においては洗浄水の水勢が衰えるので洗浄不足領域が発生し易い傾向にあるが、前記前面は下端部が前記後面に向って傾斜して形成されるので洗浄水が前記前面の中央部まで到達し易くなるので前記前面における洗浄が確実にできる。
【発明を実施するための最良の形態】
【００１６】
以下に、本発明の第一の実施形態を図１〜図３に基づいて説明する。
＜洗面ボウルの洗浄構造の構成＞  
【００１７】
図１、図２、図３に示すように、洗面化粧台２１に備える洗面ボウル２３は後面２３ａと両側面２３ｂと前面２３ｃと底板２３ｄから成る平面視矩形形状で、後面２３ａは両側面２３ｂより高く形成される。洗面ボウル２３の底板２３ｄには排水を下水管に導くための排出口２３ｅが設けられる。
【００１８】
後面２３ａの幅方向の中央部で側面２３ｂより上方に洗浄水Ｐの第一の吐出口２７が一対設けられ、洗浄水Ｐには洗剤を含有する水が用いられる。なお、洗面ボウル２３には図示しない水栓が配置される。
【００１９】
より詳しくは、後面２３ａには漏斗形状で別体のマニホールド２５が組込まれその表面部２５ａは後面２３ａの表面と略面一に形成され、表面部２５ａに第一の吐出口２７がそれぞれ左右の側面２３ｂに向けて一対設けられる。
【００２０】
洗浄水Ｐを流す導水段部Ｓは一対の第一の吐出口２７から後面２３ａと両側面２３ｂと前面２３ｃに亘ってそれぞれ左右対称に連続的に下り勾配で傾斜して前面２３ｃの中央部で互いが連通する。導水段部Ｓの形状は水平状態で連続的に傾斜するように後面２３ａと両側面２３ｂと前面２３ｃの各面を幅Ｔ、高さＨの溝状に抉って形成される。
【００２１】
好ましくは、洗面ボウル２３の後面２３ａと側面２３ｂの隅部Ｇ１、及び側面２３ｂと前面２３ｃの隅部Ｇ２を弧状に形成すると導水段部Ｓも弧状となるので、洗浄水Ｐが隅部Ｇ１、Ｇ２でスムーズに流れて前面２３ｃ中央部まで容易に到達するので洗面ボウル２３の全域を確実に洗浄することができる。
【００２２】
さらに、一対の第一の吐出口２７の中間には第二の吐出口２８を備え、第二の吐出口２８はそれぞれ洗浄水Ｐを後面２３ａに沿って水平左右方向に吐出する２組と下方に向けて吐出する３組で合計５組形成される。
【００２３】
洗浄水Ｐを圧送するための洗浄水圧送装置３０は、洗浄水タンク３１と、洗浄水タンク３１から配管３２を介してマニホールド２５に洗浄水Ｐを圧送するポンプ３３と、ポンプ制動電源スイッチ３４とから成る。また、洗浄水タンク３１とマニホールド２５間に配管３２を開閉する電磁弁３５を備える。ポンプ３３と電磁弁３５はポンプ制動電源スイッチ３４と電線３６で結線され、ポンプ３３と電磁弁３５のＯＮ／ＯＦＦは図示しない電気制御回路によって同期するように制御される。
【００２４】
ポンプの停止は設定時間後に自動停止する回路を組んでも良いし、ポンプ制動電源スイッチに連動してＯＮ／ＯＦＦ作動させても良い。
【００２５】
洗浄水タンク３１は直方体形状で頂部３１ａに洗浄水Ｐの充填用の充填筒３１ｂが設けられ、底部３１ｃに配管３２が連結される。充填筒３１ｂは所要の長さに延在して先端にキャップ３１ｄを備える。
【００２６】
洗面化粧台２１の頂面２２の表面にキャップ３１ｄを備えた充填筒３１ｂの上端部と後面２３ａの上方脇部にポンプ制動電源スイッチ３４が露出配置されるが、それ以外の洗浄水圧送装置３０は洗面化粧台２１の内部に収納配置される。
【００２７】
洗面ボウル２３は陶器、ホーロー鋼板、樹脂成形品等で形成され、洗浄水タンク３１とマニホールド２５と配管３２は樹脂又はステンレス等の錆びない金属、或いは鋼材にメッキ処理した材料等が用いられる。
＜洗面ボウルの洗浄構造の作用＞
【００２８】
図１に示すように、使用者が洗面ボウル２３を洗浄する際にポンプ制動電源スイッチ３４を操作するとポンプ３３が作動して洗浄水タンク３１の洗浄水Ｐが配管３２によってマニホールド２５に圧送され、二組の第一の吐出口２７から吐出した洗浄水Ｐは導水段部Ｓを介して後面２３ａに沿って左右方向にそれぞれ吐出されて両側面から前面まで旋回しながら下降するとともに、導水段部Ｓから洗浄水Ｐがボウル内面を覆うように溢れて流れ出すのでボウル内面を容易且つ確実に洗浄できる。
【００２９】
洗面ボウルの洗浄水には洗剤を含有する水が用いられるので水による洗浄に比べて確実且つ格段に洗浄効果が向上する。
【００３０】
なお、洗浄水による洗浄後に洗面ボウルに覆われる洗浄水の残り膜を水栓からの水でスポンジを用いて洗い流してもよい。
【００３１】
＜本発明の第二の実施形態＞
図４に示すように、本発明の第二の実施形態における導水段部Ｓの断面はコ字状溝の代わりに幅ＴでＬ字状溝に形成される。
【００３２】
以上、本発明の実施例を図面に基づいて説明したが、具体的な構成はこの実施例に限られるものではなく本発明の要旨を逸脱しない範囲の設計変更等があっても本発明に含まれる。
【００３３】
導水段部Ｓは一対の第一の吐出口２７から前面２３ｃに亘ってそれぞれ左右対称に連続的に下り勾配で傾斜して形成されるが、左右からの導水段部Ｓは前面２３ｃの中央部近傍まで形成されて連通しない状態でも構わない。
【００３４】
洗面ボウル２３の後面２３ａと側面２３ｂの隅部Ｇ１、及び側面２３ｂと前面２３ｃの隅部Ｇ２が弧状でない場合でも、導水段部の幅Ｔを深くすれば導水段部Ｓそのものを弧状に形成することができる。
【００３５】
洗浄水タンクとマニホールド間に設けられる電磁弁は省略しても構わない。
【図面の簡単な説明】
【００３６】
【図１】本発明の第一の実施形態における、洗面ボウル２３に組込まれたマニホールド２５に設けられた第一の吐出口２７と第二の吐出口２８から洗浄水Ｐを吐出して洗面ボウル２３を洗浄する状態を示す斜視図である。
【図２】本発明の第一の実施形態における、洗浄水圧送装置３０の組付け図である。
【図３】本発明の第一の実施形態における、図１におけるＡ−Ａ断面図である。
【図４】本発明の第二の実施形態における、図１におけるＡ−Ａ断面図である。
【図５】従来例における、洗浄水を案内する空洞５を備える洗面ボウル１の斜視図である。
【符号の説明】
【００３７】
２３  洗面ボウル
２３ａ  後面
２３ｂ  側面
２３ｃ  前面
２３ｄ  底板
２５  マニホールド
２５ａ  表面部
２７  第一の吐出口
２８  第二の吐出口
Ｐ  洗浄水
Ｓ  導水段部
Ｔ  幅
Ｈ  高さ
【図１】
2009079354.tif 000003
【図２】
2009079354.tif 000004
【図３】
2009079354.tif 000005
【図４】
2009079354.tif 000006
【図５】
2009079354.tif 000007